(57)【要約】 【課題】泥棒がドリルの先端部にホルソーを取り付け、シリンダー錠に対して正面攻撃をしかけてきても容易にシリンダー錠を破壊することができないこと。【解決手段】シリンダー錠に外嵌合し、かつ、扉に取り付けられた錠箱に固定部が固定された固定筒と、この固定筒に外嵌合する筒状化粧リングと、前記固定筒の環状前壁部をカバーするように該固定筒の先端部に固定された筒状の先端部化粧カバーとを備えたシリンダー錠の保護構造に於いて、前記固定筒７の前壁部７ｂと先端部化粧カバー２１の前壁部２１ｂとの間に、前記シリンダー錠の突出先端部１２ａに嵌合する軸孔２６を有し、かつ、侵入してきたホルソー２８の切削刃２８ｂと共に回転する硬質スライド防御板２５を設けたことを特徴とするシリンダー錠の保護構造。【選択図】  図１
2005307680.tif 000002
【特許請求の範囲】
【請求項１】
シリンダー錠に外嵌合し、かつ、扉に取り付けられた錠箱に固定部が固定された固定筒と、この固定筒に外嵌合する筒状化粧リングと、前記固定筒の環状前壁部をカバーするように該固定筒の先端部に固定された筒状の先端部化粧カバーとを備えたシリンダー錠の保護構造に於いて、前記固定筒７の前壁部７ｂと先端部化粧カバー２１の前壁部２１ｂとの間に、前記シリンダー錠の突出先端部１２ａに嵌合する軸孔２６を有し、かつ、侵入してきたホルソー２８の切削刃２８ｂと共に回転する硬質スライド防御板２５を設けたことを特徴とするシリンダー錠の保護構造。
【請求項２】
請求項１に於いて、硬質のスライド防御板２５は、垂直壁に切削刃２８ｂと噛み合う係合部を有していることを特徴とするシリンダー錠の保護構造。
【請求項３】
請求項１に於いて、硬質のスライド防御板２５は、薄型のドーナツ形状に形成されていることを特徴とするシリンダー錠の保護構造。
【請求項４】
請求項１に於いて、先端部化粧カバー２１の筒状壁部２１ａの内周壁には、補強筒２２が一体的に設けられていることを特徴とするシリンダー錠の保護構造。
【発明の詳細な説明】
【技術分野】
【０００１】
本発明は、扉面から突出したシリンダー錠の保護構造に関し、特にホルソー破壊対策に適合するシリンダー錠の保護構造に関する。
【背景技術】
【０００２】
普通一般にシリンダー錠は、化粧リング並びにシリンダー筒（固定筒）に内装され、扉の外壁面から他端部（先端部側）が突出するように錠箱に取り付けられている。
【０００３】
前記化粧リングは、板金加工により製作した薄板素材のすい台状の筒体で、かつ、中空部を有していることから、泥棒にとっては七つ道具の挟み部を有するプライヤー、バール、ドリルなどの工具を用いて化粧リング等を変形乃至破壊させることが容易である。
【０００４】
したがって、例えば、泥棒が挟み部を有するプライヤーを用い、化粧リングとともに、固定筒及びシリンダー錠を無理やり「破壊」あるいは「もぎ取る」ことが可能になる。
そこで、出願人は、化粧リングをこじあけ、外周壁が露出したシリンダー錠に大きな外力を加えることによってシリンダー錠がもぎ取られないように、化粧リング並びに固定筒を改良した錠構造を提案した（特許文献１）。
【０００５】
この公報に記載の実施例は、「固定筒４３の内周に係着し、扉内に設けた錠箱に、扉面に穿設した錠挿入穴を介して該固定筒４３の基端を固定し、前記扉面から突出した前記固定筒４３の先端側外周に、先端側を開口した略円錐状の化粧リング６７を、先端部が前記固定筒４３の先端側となるように外挿し、かつ、前記固定筒４３に外挿した付勢手段７３の付勢力によって該化粧リング６７の後端部を前記扉面に当接させた錠構造において、前記固定筒４３を、前記シリンダー錠３１を係着する内固定筒４５と、該内固定筒４５の外周に回動自在に係着する外固定筒４７との二重構造で構成し、前記シリンダー錠３１を、前記内固定筒４５を介して前記錠箱に固定するとともに、前記化粧リング６７を該外固定筒４７の外周に係着している（公報の符号をそのまま記載）」。
【０００６】
ところで、近年、錠前の防犯対策の強化が望まれる中で、ホルソー破壊対策も重要視されている。ホルソー破壊は、ドリルの先端に「ホルソー（周方向に回転する切削刃）」を取り付け、シリンダー錠の先端部を環状にカバーする前面化粧板や固定筒の前壁を硬貨状に切り取るやり方であり、いわばシリンダー錠に対する正面攻撃である。
【０００７】
したがって、例えば特許文献１に記載の図６の実施例はもちろんのこと、上記特許文献１に記載の錠構造であっても、ホルソー破壊対策を十分に講じる必要性がある。
【特許文献１】特開２００３−１２００８３公報
【特許文献２】特開２００３−２３９５８２公報
【特許文献３】特開２００１−２０５６９公報
【特許文献４】特開２００１−１２１１９公報
【発明の開示】
【発明が解決しようとする課題】
【０００８】
本発明の第１の目的は、泥棒がドリルの先端部にホルソーを取り付け、シリンダー錠に対して正面攻撃をしかけてきても、容易にシリンダー錠を破壊することができないことである。また本発明の第２の目的は、スライド防御板がホルソーと共に回転し易くすることである。さらに、本発明の付加的目的として、シリンダー錠の先端部を、固定筒を介してカバーする先端部化粧板の構成を強化することである。
【課題を解決するための手段】
【０００９】
本発明のシリンダー錠の保護構造は、シリンダー錠に外嵌合し、かつ、扉に取り付けられた錠箱に固定部が固定された固定筒と、この固定筒に外嵌合する筒状化粧リングと、前記固定筒の環状前壁部をカバーするように該固定筒の先端部に固定された筒状の先端部化粧カバーとを備えたシリンダー錠の保護構造に於いて、前記固定筒７の前壁部７ｂと先端部化粧カバー２１の前壁部２１ｂとの間に、前記シリンダー錠の突出先端部１２ａに嵌合する軸孔２６を有し、かつ、侵入してきたホルソー２８の切削刃２８ｂと共に回転する硬質スライド防御板２５を設けたことを特徴とする。
【発明の効果】
【００１０】
（１）泥棒がドリルの先端部にホルソーを取り付け、シリンダー錠に対して正面攻撃をしかけてきても、硬質スライド防御板が回転するから、容易にシリンダー錠を破壊することができない。
（２）請求項２に記載の発明は、切削刃２８ｂが係合部に噛み合うから、硬質スライド防御板が容易に回転する。
（３）請求項３に記載の発明は、先端部化粧カバーがシリンダー錠の突出先端部から突出しない。
（４）請求項４に記載の発明は、先端部化粧板の強化を図ることができる。
【発明を実施するための最良の形態】
【００１１】
図１ないし図８を参照に本発明の一実施例を説明する。まず、環境部材と共に本発明の主要部を説明するが、細部的事項に関しては、図示及び説明を割愛する。
【００１２】
（１）発明の実施の環境
図１は発明の実施の環境を示す概略説明図である。図１に於いて、１は扉、１ａは扉の外壁面、２は扉１の切欠部に内装された錠箱、５は基端部５ａが錠箱２に取り付けられ、一方、先端部側５ｂが扉１の外壁面１ａの取り付け孔６から突出するシリンダー錠、７はシリンダー錠５に外嵌合し、かつ、図示しない単数又は複数個のピン状止め具等を介して該シリンダー錠５に固定された固定筒、１０は固定筒７に直接又は間接的（例えば防犯用硬質外筒体、防犯用回転体など）を介して外挿する筒状化粧リングである。
【００１３】
（２）シリンダー錠５及び固定筒７の構成
まず、シリンダー錠５及び固定筒７の構成について簡単に述べる。シリンダー錠５は、外筒体１１と内筒体１２とから成り、前記内筒体１２はキー挿入孔を有する。シリンダー錠５は、複数の可動障害子を内蔵し、合鍵を前記キー挿入孔に差し込んで内筒体１２を所定量回転すると、障害子が移動して、「いわゆるシアーライン」が一致する。内筒体１２の駆動力は出力軸（テールピース）１３を介して錠箱の施・解錠機構に適宜に伝達される。また、シリンダー錠５は図示しないスペーサを介して固定筒７に略内装されている（内筒体１２の先端部の一部を除く。）と共に、図示しないリング状ライナー、止めリング１４等を介して軸方向へ移動しないように規制されている。さらに、固定筒７の内壁には、軸方向に長溝があり、該長溝に外筒体１１の突起部が係合することにより、シリンダー錠５の周方向の回転が阻止されている。
【００１４】
固定筒７は、普通一般に、扉１の取り付け孔６に後端部を挿入して錠箱２に一対の突起状の固定部７ａ．７ａを固定する。前記固定部７ａには戸先側から固定棒を差し込むことが可能な貫通孔が形成されている。また、固定筒７の先端部には、外筒体１１の前面に対向する環状前壁部７ｂが周設されている。この環状前壁部７ｂの中心孔に内筒体１２の先端部の一部（突出先端部）１２ａが嵌合している。さらに、固定筒周胴部７ｃの先端部には、周方向に所要間隔を有して複数個（例えば４個）の固着用窪み１５が形成されている。
【００１５】
（３）筒状化粧リング１０
次に、筒状化粧リング１０について述べる。筒状化粧リング１０は、中実でも良いが、本実施例では、図１で示すように、断面中空状に形成されている。筒状化粧リング１０の内部の嵌合孔１６は、内部の筒状壁１７よりも若干小径である。したがって、内部筒状壁１７の内壁面と固定筒７の先端部側の外周壁との間隙部には、化粧リング１０を扉１の外壁面１ａへと押圧する付勢バネ１８が内装されている。この付勢バネ１８は、複数枚のリング状スペーサに置換することができる。したがって、筒状化粧リング１０は、拡径の開口端面が扉１の外壁面１ａに圧接（又は密着）することができるように軸方向に多少移動可能である。さらに、筒状化粧リング１０は、金属板を切削加工して、例えば外部の筒状壁２０が断面台形状に形成されている。なお、筒状化粧リング１０は、固定筒に回転自在に外嵌合している。
【００１６】
（４）先端部化粧カバー２１
２１は、シリンダー錠５及び固定筒７用の筒状先端部化粧カバーで、この先端部化粧カバー２１は、図１で示すように、固定筒７の先端部と筒状化粧リング１０の内部の筒状壁１７との間に設定された狭い環状間隙部に嵌入する筒状壁部２１ａと、この筒状壁部２１ａに連設すると共に、シリンダー錠５の突出先端部１２ａが嵌合する環状前壁部２１ｂとから成り、前記筒状壁部２１ａの内周壁には、硬い材質で短筒状に形成された補強筒２２が一体的に設けられている。本実施例では、二重筒状の先端部化粧カバー２１は、前述した固定筒７の固着用窪み１５を利用して固定筒７に「カシメ固定」されている。
【００１７】
（５）硬質スライド防御板２５
２５は硬貨（例えば５円玉）形状あるいはドーナツ形状に形成されたスライド防御板で、このスライド防御板２５は、浸炭焼入れ・焼き戻しが施されている。硬質スライド防御板２５の形態については特に問わないが、その形状は、本発明の目的及び組み込む箇所によって制約を受ける。
【００１８】
前述したように本発明の目的は、ホルソー破壊対策であること、またスライド防御板２５はホルソーと共に回転可能であること、さらに、シリンダー錠５の突出先端部１２ａに嵌合させ、かつ、固定筒７の環状前壁部７ｂと先端部化粧カバー２１の環状前壁部２１ｂとの間に介在していることから、本実施例の硬質スライド防御板２５は、比較的薄型（扁平状）のドーナツ形状に形成されている。もちろん、スライド防御板２５にある程度の厚みを持たせ、例えば浮き輪状に形成しても良い。
【００１９】
しかして、２６はシリンダー錠５の突出先端部１２ａに嵌合する軸孔、２７は垂直壁（少なくとも表面）にホルソー２８の切削刃２８ｂが係合するように形成された単数又は複数の係合部（本実施例では４個の係合孔、係合溝など）である。
【００２０】
（６）硬質スライド防御板の回転
図８を参照にしてスライド防御板２５が回転する場合を説明する。図８で示すように、ホルソー２８は、例えば図示しないドリルの先端部に取り付けられる回転軸２８ａと、この回転軸２８ａの先端部に設けられた周方向の切削刃２８ｂとを有している。
【００２１】
そこで、今泥棒が、シリンダー錠を不正解錠しようとして、硬質ホルソー２８を用いて正面攻撃をしかけてきたと仮定する。ホルソー２８の切削刃２８ｂは周方向に回転するから、薄い金属板である先端部化粧カバー２１の環状前壁部２１ｂの一部は切り取られる。しかしながら、環状前壁部２１ｂの嵌合孔の回り一部（嵌合孔の回り）が切り取られても、環状前壁部２１ｂのその余の部分は残るから、先端部化粧カバー２１は、依然として固定筒５にそのまま固定されていると共に、環状前壁部２１ｂの残余部分はスライド防御板２５に対するストッパー機能を果たす。つまり、硬質スライド防御板２５は先端部化粧カバー２１から外れない。
【００２２】
次に、硬質ホルソー２８の切削刃２８ｂは硬質スライド防御板２５に突き当たるから、スライド防御板２５は切削刃２８ｂに押し付けられながらホルソー２８と共に固定筒５の前壁部７ｂを摺動回転する。特に、本実施例では、切削刃２８ｂが係合孔２７に容易に噛み合うから、スライド防御板２５は軸孔２６を介してスムースに回転する。
【００２３】
したがって、シリンダー錠５は、硬質のスライド防御板２５を介して硬質ホルソー２８の攻撃から可能な限り保護される。それ故に、泥棒は、シリンダー錠５を固定筒５から抜き取ること等ができない。
【実施例】
【００２４】
発明の実施の形態で示した実施例に於いて、硬質スライド防御板の一例としてドーナツ形状のものを示したが、不完全型ドーナツ形状（軸孔２６から半径方向に任意形状の切欠部を有するもの）であっても良い。要は、固定筒７の前壁部７ｂと先端部化粧カバー２１の前壁部２１ｂとの間に回転可能に介在していれば良い。
【産業上の利用可能性】
【００２５】
本発明は、主に建具や錠前の業界で利用される。
【図面の簡単な説明】
【００２６】
図１乃至図８は本発明の最良の実施例を示す各説明図。
【図１】実施形態を示す概略断面説明図。
【図２】斜視図。
【図３】一部切欠した右側面からの説明図。
【図４】分解斜視図。
【図５】要部（硬質スライド防御板）の正面図。
【図６】図５の６−６線断面図。
【図７】主要部を構成する部材の関係を示す説明図。
【図８】要部の回転する場合を示す説明図。
【符号の説明】
【００２７】
1…扉、２…錠箱、５…シリンダー錠、５ａ…基端部、５ｂ…先端部、７…固定筒、７ａ…固定部、７ｂ…環状前壁部、１０…筒状化粧リング、１１…外筒体、１２…内筒体、１２ａ…突出先端部、１６…嵌合孔、１７．２０…筒状壁、２１…先端部化粧カバー、前壁部２１ｂ、２１ａ…筒状壁部、２１ｂ…前壁部、２２…補強筒、２５…硬質スライド防御板、２６…軸孔、２８…ホルソー、２８ｂ…切削刃２９。
【図１】
2005307680.tif 000003
【図２】
2005307680.tif 000004
【図３】
2005307680.tif 000005
【図４】
2005307680.tif 000006
【図５】
2005307680.tif 000007
【図６】
2005307680.tif 000008
【図７】
2005307680.tif 000009
【図８】
2005307680.tif 000010